(57)【要約】【課題】カーペットなどの掃き掃除を行うのに適した清掃具を提供すること。【解決手段】本発明の清掃具Ａ１は、方向ｘに延びる支持部３２を有するヘッド本体３と、各々が支持部３２に支持され、かつ方向ｘと交差する方向に延びており、方向ｘに並ぶ複数の掃払体４２と、を備え、複数の掃払体４２は、軟質樹脂からなり、各掃払体４２の先端部は、当該掃払体４２が延びる方向に見て方向ｘと直交する方向ｙに凹んだ凹形状である。【選択図】図２
2018086043.tif 000002
【特許請求の範囲】
【請求項１】
第１方向に延びる支持部を有するヘッド本体と、
各々が上記支持部に支持され、かつ上記第１方向と交差する方向に延びており、上記第１方向に並ぶ複数の掃払体と、を備え、
上記複数の掃払体は、軟質樹脂からなり、
上記各掃払体の先端部は、当該掃払体が延びる方向に見て上記第１方向と直交する方向に凹んだ凹形状である、清掃具。
【請求項２】
上記第１方向に延びており、上記支持部に取り付けられる取付け部と、上記取付け部の長手方向に沿って設けられた上記複数の掃払体と、を有する掃払ユニットを備える、請求項１に記載の清掃具。
【請求項３】
上記取付け部は、所定厚さを有する板状であり、
上記掃払ユニットは、上記第１方向および上記第１方向と交差する方向のいずれにも直角である第２方向において上記取付け部が重なり合うように複数設けられている、請求項２に記載の清掃具。
【請求項４】
上記各掃払ユニットに含まれる上記複数の掃払体は、先端部が上記第２方向一方側に凹む第１掃払体と、先端部が上記第２方向他方側に凹む第２掃払体と、を含み、上記第１方向において上記第１掃払体および上記第２掃払体が交互に並んでいる、請求項３に記載の清掃具。
【請求項５】
上記各掃払ユニットに含まれる上記複数の掃払体は、先端部が上記第２方向における片側に凹んでいる、請求項３に記載の清掃具。
【請求項６】
複数の上記掃払ユニットのうち上記第２方向一方側端に位置するものに含まれる上記複数の掃払体は、先端部が上記第２方向他方側に凹んでおり、
複数の上記掃払ユニットのうち上記第２方向他方側端に位置するものに含まれる上記複数の掃払体は、先端部が上記第２方向一方側に凹んでいる、請求項５に記載の清掃具。
【請求項７】
上記各掃払ユニットに含まれる上記複数の掃払体は、上記第１方向において間隔を隔てて配列されており、
上記第２方向において隣接する一対の上記掃払ユニットにおいては、上記第２方向視において、一の上記掃払ユニットのうち上記第１方向に隣接する一対ずつの上記掃払体の隙間のすべてが他の上記掃払ユニットのいずれかの上記掃払体と重なっている、請求項３ないし６のいずれかに記載の清掃具。
【請求項８】
上記掃払ユニットにおける上記取付け部および上記複数の掃払体は、一体形成されている、請求項２ないし７のいずれかに記載の清掃具。
【請求項９】
上記複数の掃払体の各々は、その先端が上記第２方向視において所定の直線に沿っている、請求項１ないし８のいずれかに記載の清掃具。
【発明の詳細な説明】
【技術分野】
【０００１】
本発明は、たとえばカーペットなどの掃き掃除に使用される清掃具に関する。
【背景技術】
【０００２】
従来、床面などの掃き掃除用の清掃具として主に箒が用いられてきた。箒は、一般に、ヘッド本体に掃毛などの多数の掃払体が支持された構成とされており、掃払体により床面を掃き払うことで、床面上のゴミを集めることができる。かかる構成の箒は、たとえばタイル面、コンクリートやフローリング面等の硬質な床面の清掃に適する一方、起毛部を有するカーペット等の清掃には適していなかった。
【０００３】
これに対し、特許文献１には、カーペットの清掃に用いる清掃具について記載されている。特許文献１に記載された清掃具は、ヘッド本体に２枚のブレードが設けられた構成とされている。これらブレードは、弾性変形可能な軟質樹脂からなるとともにヘッド本体の長手方向に沿って一連につながっており、ブレード先端でカーペット表面を擦ることにより、起毛部に入り込んだ抜け毛等を掻き出すことが可能となっている。
【０００４】
しかしながら、特許文献１に開示された清掃具においては、ブレードがヘッド本体の長手方向に一連につながっているため、当該ブレードの弾性復元力は比較的大きい。このため、たとえばブレードでカーペット表面を擦る際、弾性変形したブレードが元の形状に戻る時の弾性復元力によりカーペット表面に載った比較的大きなゴミ等について弾き飛ばしてしまうことがあった。即ち、特許文献１に記載の清掃具は、カーペットの起毛部に入り込んだゴミを掻き出すのには適するが、カーペット表面に載ったゴミを集めるうえでは改善の余地があった。
【先行技術文献】
【特許文献】
【０００５】
【特許文献１】特開２０１４−１５８５６４号公報
【発明の概要】
【発明が解決しようとする課題】
【０００６】
本発明は、このような事情のもとで考え出されたものであって、カーペットなどの掃き掃除を行うのに適した清掃具を提供することを主たる課題とする。
【課題を解決するための手段】
【０００７】
上記の課題を解決するため、本発明では、次の技術的手段を講じている。
【０００８】
本発明によって提供される清掃具は、第１方向に延びる支持部を有するヘッド本体と、各々が上記支持部に支持され、かつ上記第１方向と交差する方向に延びており、上記第１方向に並ぶ複数の掃払体と、を備え、上記複数の掃払体は、軟質樹脂からなり、上記各掃払体の先端部は、当該掃払体が延びる方向に見て上記第１方向と直交する方向に凹んだ凹形状である。
【０００９】
好ましい実施の形態においては、上記第１方向に延びており、上記支持部に取り付けられる取付け部と、上記取付け部の長手方向に沿って設けられた上記複数の掃払体と、を有する掃払ユニットを備える。
【００１０】
好ましい実施の形態においては、上記取付け部は、所定厚さを有する板状であり、上記掃払ユニットは、上記第１方向および上記第１方向と交差する方向のいずれにも直角である第２方向において上記取付け部が重なり合うように複数設けられている。
【００１１】
好ましい実施の形態においては、上記各掃払ユニットに含まれる上記複数の掃払体は、先端部が上記第２方向一方側に凹む第１掃払体と、先端部が上記第２方向他方側に凹む第２掃払体と、を含み、上記第１方向において上記第１掃払体および上記第２掃払体が交互に並んでいる。
【００１２】
好ましい実施の形態においては、上記各掃払ユニットに含まれる上記複数の掃払体は、先端部が上記第２方向における片側に凹んでいる。
【００１３】
好ましい実施の形態においては、複数の上記掃払ユニットのうち上記第２方向一方側端に位置するものに含まれる上記複数の掃払体は、先端部が上記第２方向他方側に凹んでおり、複数の上記掃払ユニットのうち上記第２方向他方側端に位置するものに含まれる上記複数の掃払体は、先端部が上記第２方向一方側に凹んでいる。
【００１４】
好ましい実施の形態においては、上記各掃払ユニットに含まれる上記複数の掃払体は、上記第１方向において間隔を隔てて配列されており、上記第２方向において隣接する一対の上記掃払ユニットにおいては、上記第２方向視において、一の上記掃払ユニットのうち上記第１方向に隣接する一対ずつの上記掃払体の隙間のすべてが他の上記掃払ユニットのいずれかの上記掃払体と重なっている。
【００１５】
好ましい実施の形態においては、上記各掃払ユニットに含まれる上記複数の掃払体は、上記第１方向において一定ピッチで一定間隔を隔てて配列されており、上記第２方向において隣接する一対の上記掃払ユニットにおいては、上記複数の掃払体の配列ピッチが半ピッチずれている。
【００１６】
好ましい実施の形態においては、上記掃払ユニットにおける上記取付け部および上記複数の掃払体は、一体形成されている。
【００１７】
好ましい実施の形態においては、上記複数の掃払体の各々は、その先端が上記第２方向視において所定の直線に沿っている。
【００１８】
本発明のその他の特徴および利点は、添付図面を参照して以下に行う詳細な説明によって、より明らかとなろう。
【図面の簡単な説明】
【００１９】
【図１】本発明に係る清掃具の一例を示す正面図である。
【図２】図１に示す清掃具の底面図である。
【図３】図１に示す清掃具の右側面図である。
【図４】図１に示す清掃具の背面図である。
【図５】図１のＶ−Ｖ線に沿う断面図である。
【図６】図１に示す清掃具の使用状態の一例を示す側面図である。
【図７】図１に示す清掃具の使用状態の他の例を示す側面図である。
【図８】本発明に係る清掃具の他の例を示す底面図である。
【図９】図８に示す清掃具の右側面図である。
【図１０】本発明に係る清掃具の他の例を示す底面図である。
【図１１】本発明に係る清掃具の他の例を示す底面図である。
【発明を実施するための形態】
【００２０】
以下、本発明の好ましい実施の形態について、図面を参照して具体的に説明する。
【００２１】
図１〜図５は、本発明に係る清掃具の一例を示す。本実施形態の清掃具Ａ１は、柄１と、柄１の端部に連結部材２を介して連結されたヘッド本体３と、ヘッド本体３に設けられた掃払ユニット４と、を備えている。柄１は、たとえば、合成樹脂製、木製、あるいは軽量な金属製であり、中実または中空の棒状である。なお、本実施形態においては、図５に示すように、柄１が中空パイプ状である態様で表している。
【００２２】
連結部材２は、たとえば合成樹脂製であり、図１、図５に表れているように、先端が開口した筒状部２１と、この筒状部２１に二股状に繋がって形成される一対の連結片２２とを有している。図５によく表れているように、一対の連結片２２は、厚さ方向に貫通する連結孔２２ａを有する。筒状部２１には、柄１の下端が嵌合しており、これにより連結部材２と柄１との連結が図られている。
【００２３】
ヘッド本体３は、連結部３１、支持部３２、および延出片３３を備えている。支持部３２は、掃払ユニット４を支持する部分であり、方向ｘ（第１方向）に延びている。支持部３２は、各々が方向ｘに延び、かつ厚さ方向（方向ｙ）に離間する一対の縦壁３２１を有する。各縦壁３２１の適所には、厚さ方向に貫通する複数の貫通孔３２１ａが形成されている。一対の縦壁３２１の間には、後述する掃払ユニット４の取付け部４１が介在している。
【００２４】
図５に示すように、連結部３１は、支持部３２の長手方向中央の上部につながっている。連結部３１は、方向ｙにおいて一定の厚さであるとともに厚さ方向に貫通する連結孔３１ａを有する。この連結部３１を挟むように上記連結部材２の一対の連結片２２を重ね、各連結孔２２ａ，３１ａにネジ軸などの連結軸５を通挿するなどして、ヘッド本体３と柄１とが、連結部材２を介してヘッド本体３の厚さ方向（方向ｙ）に延びる中心軸線Ｏ１を中心として回動可能に連結される。ここで、柄１とヘッド本体３との回動動作については、たとえば連結部３１と一対の連結片２２との接触摩擦により適度な節度感が与えられる。
【００２５】
図３、図４に示すように、延出片３３は、支持部３２の一方の縦壁３２１から方向ｚ（方向ｘおよび方向ｙのいずれにも直角である第３方向）に一連に延びている。本実施形態において、延出片３３は、支持部３２の長手方向（方向ｘ）における大半の長さ範囲にわたって設けられている。
【００２６】
延出片３３の方向ｚにおける先端縁３３１（第１先端縁）は、方向ｘに沿って延びている。掃払ユニット４（取付け部４１）を挟んで延出片３３とは反対側にある他方の縦壁３２１の方向ｚにおける先端縁３２２（第２先端縁）は、方向ｘに沿って延びている。先端縁３３１は、先端縁３２２よりも支持部３２から離れた位置にあり、方向ｙ視において後述する複数の掃払体４２と重なっている。
【００２７】
上記構成のヘッド本体３は、たとえばポリプロピレン、ＡＢＳ樹脂などの所定の強度を有する合成樹脂からなり、インジェクション成形により一体形成される。
【００２８】
掃払ユニット４は、図２、図５等に示すように、取付け部４１と、複数の掃払体４２とを備える。本実施形態において、清掃具Ａ１は３つの掃払ユニット４を備えており、各掃払ユニット４が取付け部４１および複数の掃払体４２を備えている。
【００２９】
取付け部４１は、所定の厚さを有する板状であり、ヘッド本体３（支持部３２）の長手方向に沿って延びている。複数の掃払ユニット４におけるそれぞれの取付け部４１は、互いに厚さ方向に重なり合っており、ヘッド本体３の支持部３２（一対の縦壁３２１間）に挟まれている。また、取付け部４１の適所には、それぞれ、厚さ方向に貫通する複数ずつの取付け孔４１ａが設けられている。取付け孔４１ａは、縦壁３２１の貫通孔３２１ａと対応する位置に設けられている。図５に示すように、貫通孔３２１ａおよび取付け孔４１ａには、ピン３４およびピン３５が厚さ方向（方向ｙ）における両側から嵌挿され、互いに連結される。これにより、取付け部４１（掃払ユニット４）は、縦壁３２１（支持部３２）に支持されており、取付け部４１（掃払ユニット４）がヘッド本体３から抜け落ちることは防止される。
【００３０】
各掃払ユニット４において、複数の掃払体４２は、長手方向（方向ｘ）に並んでいる。各掃払体４２は、取付け部４１の下面につながっており、方向ｘと交差する方向の一例である方向ｚに延びている。本実施形態において、方向ｘに並ぶ複数の掃払体４２は、第１掃払体４２１および第２掃払体４２２を含む。
【００３１】
図２に示すように、各掃払体４２（４２１，４２２）の先端部は、当該掃払体４２が延びる方向に見て方向ｘと直交する方向ｙに凹んでいる。第１掃払体４２１は、先端部が方向ｙ一方側（図中上側）に凹んでいる。第２掃払体４２２は、先端部が方向ｙ他方側（図中下側）に凹んでいる。本実施形態においては、第１掃払体お４２１および第２掃払体４２２は、いずれも概略Ｗ字形状を呈しており、各々、２箇所凹んでいる。そして、これら第１掃払体４２１および第２掃払体４２２は、方向ｘにおいて交互に並んでいる。
【００３２】
本実施形態において、各掃払ユニット４に含まれる複数の掃払体４２（４２１，４２２）は、方向ｘ（第１方向）において所定間隔を隔てて配列されている。また、方向ｙ（第２方向）において隣接する一対の掃払ユニット４においては、方向ｙ視において、一の掃払ユニット４のうち方向ｘに隣接する一対ずつの掃払体４２の隙間のすべてが他の掃払ユニット４のいずれかの掃払体４２と重なっている。さらに、本実施形態において好ましくは、各掃払ユニット４に含まれる複数の掃払体４２（４２１，４２２）は、方向ｘ（第１方向）において一定ピッチで一定間隔を隔てて配列されている。また、方向ｙ（第２方向）において隣接する一対の掃払ユニット４においては、複数の掃払体４２の配列ピッチが半ピッチずれている。
【００３３】
図１、図５に示すように、本実施形態において、複数の掃払体４２（第１掃払体４２１および第２掃払体４２２）の各々の基端から先端までの長さは一定とされており、各掃払体４２の先端は平坦面とされている。そして、複数の掃払体４２の各々の先端は、方向ｙ視においてヘッド本体３の長手方向（方向ｘ）に延びる所定の直線に沿っている。
【００３４】
取付け部４１および複数の掃払体４２を含んで構成された各掃払ユニット４は、たとえば軟質樹脂によってインジェクション成形により一体形成されている。そのような軟質樹脂材料としては、たとえばシリコーンゴムやウレタンゴムなどの合成ゴムを含むゴム、軟質ポリ塩化ビニル、熱可塑性エラストマー（ＴＰＥ）などを挙げることができる。
【００３５】
次に、本実施形態の作用について説明する。
【００３６】
清掃具Ａ１を用いてカーペット等を清掃する場合には、たとえば図６に示すように、複数の掃払体４２（第１掃払体４２１および第２掃払体４２２）の先端をカーペットＣａに押し付けつつ、ヘッド本体３を図６における矢印の方向（方向ｙにおける片側）に動かす。ここで、各掃払体４２の先端部は、当該掃払体４２が延びる方向（方向ｚ）に見て方向ｘと直交する方向ｙに凹んだ凹形状である。これにより、当該凹みの両端が方向ｙにおいて凸形状となっている。清掃時には、掃払体４２のうち凹み両端の凸形状部分が進行方向に向いているもの（図６における第２掃払体４２２）については、当該凸形状部分によりカーペットＣａの起毛部に絡んだ毛髪や細かな塵埃等のゴミＴｒ１を掻き出して集めることが可能である。
【００３７】
また、複数の掃払体４２は、支持部３２の長手方向（方向ｘ）において並んでおり、互いに分離した状態で支持部３２に支持されている。そして、各掃払体４２は、支持部３２の長手方向（方向ｘ）と交差する方向ｚに延びている。このような構成によれば、各掃払体４２の弾性復元力は比較的小さい。これにより、カーペットＣａの表面に載っている小石や塵屑等の比較的大きなゴミＴｒ２については掃払体４２により掃き集めることができ、掃払体４２の形状復元時にゴミＴｒ２が弾き飛ばされることは回避される。
【００３８】
本実施形態の清掃具Ａ１は、掃払ユニット４を備えている。掃払ユニット４は、支持部３２に取り付けられており、方向ｘ１に延びる取付け部４１と、取付け部４１の長手方向に沿って設けられた複数の掃払体４２と、を備えている。このような構成によれば、取付け部４１を支持部３２に支持させるといった簡易な手段により、複数の掃払体４２を支持部３２（ヘッド本体３）の長手方向に並べることができる。
【００３９】
また、清掃具Ａ１は複数の掃払ユニット４を備え、これら掃払ユニット４それぞれにおける板状の取付け部４１が方向ｙにおいて重なり合わされている。このような構成によれば、支持部３２の厚さ方向（方向ｙ）において掃払体４２が複数配列されており、清掃時にはゴミＴｒ１，Ｔｒ２を適切に掃き集めることができる。
【００４０】
各掃払ユニット４に含まれる複数の掃払体４２は、方向ｘにおいて所定間隔を隔てて配列されている。方向ｙにおいて隣接する一対の掃払ユニット４においては、方向ｙ視において、一の掃払ユニット４のうち方向ｘに隣接する一対ずつの掃払体４２の隙間のすべてが他の掃払ユニット４のいずれかの掃払体４２と重なっている。本実施形態においてさらに好ましくは、各掃払ユニット４に含まれる複数の掃払体４２は、方向ｘにおいて一定ピッチで一定間隔を隔てて配列されている。方向ｙにおいて隣接する一対の掃払ユニット４においては、複数の掃払体４２の配列ピッチが半ピッチずれている。即ち、方向ｙ視において、掃払ユニット４において方向ｘに並ぶ掃払体４２の隙間を塞ぐようにして、隣接する掃払ユニット４における複数の掃払体４２が並んでいる。このような構成によれば、清掃時にはゴミＴｒ１，Ｔｒ２をより適切に掃き集めることができる。
【００４１】
ヘッド本体３は、方向ｙにおいて複数の掃払体４２を挟んで一方側および他方側に位置する先端縁３３１および先端縁３２２を有する。これら先端縁３３１および先端縁３２２は、複数の掃払体４２が延びる方向の先端においてそれぞれが方向ｘに沿って延びている。また、先端縁３３１は、先端縁３２２よりも支持部３２から離れた位置にあり、方向ｙ視において複数の掃払体４２と重なっている。本実施形態において、ヘッド本体３は、支持部３２から方向ｚ（第３方向）に一連に延びる板状の延出片３３を有する。先端縁３３１は、延出片３３の方向ｚにおける先端に位置する。
【００４２】
このような構成によれば、掃払体４２をカーペットＣａに比較的強く押さえ付けながら掃くと、図６に示すように、進行方向に対して後方側に位置する延出片３３が掃払体４２の弾性変形を規制するバックアップとして機能する。したがって、図６に示す使用態様は、カーペットＣａをより強く擦りたい場合の清掃に適する。
【００４３】
一方、図７は、ヘッド本体３を厚さ方向（方向ｙ）において図６とは反対側に動かす場合を示している。図７に示す場合には、掃払体４２をカーペットＣａに強く押さえ付けるとそれに応じて掃払体４２は弾性変形する。したがって、図７に示す使用態様は、掃払体４２をしなやかに変形させつつカーペットＣａを清掃するのに適する。図６および図７を比較すると理解されるように、延出片３３を具備するといった簡単な構造によって、ヘッド本体３を動かす方向を変えることで清掃時の掃き心地を変更することができる。
【００４４】
図８〜図１１は、本発明に係る清掃具の他の例を示している。これらの図においては、上記実施形態と同一または類似の要素には、同一の符号を付しており、適宜説明を省略する。
【００４５】
図８、図９に示す清掃具Ａ２は、柄１と、連結部材２と、ヘッド本体３と、掃払ユニット４と、を備えている。本実施形態においては、掃払ユニット４の具体的な構成が上記実施形態の清掃具Ａ１と異なるが、掃払ユニット４以外の他の要素については、上記実施形態の清掃具Ａ１と実質的に同一である。
【００４６】
本実施形態において、清掃具Ａ２は４つの掃払ユニット４を備えており、各掃払ユニット４が取付け部４１および複数の掃払体４２を備えている。本実施形態において、掃払体４２の構成が上記実施形態と異なっている。
【００４７】
各掃払ユニット４において、複数の掃払体４２は、長手方向（方向ｘ）に並んでいる。図８に示すように、各掃払体４２の先端部は、当該掃払体４２が延びる方向に見て方向ｘと直交する方向ｙに凹んでいる。各掃払体４２は、概略Ｗ字形状を呈しており、２箇所凹んでいる。
【００４８】
本実施形態において、複数の掃払ユニット４のうち方向ｙ一方側端（図中上方端）に位置するものに含まれる複数の掃払体４２は、先端部が方向ｙ他方側（図中下側）に凹んでいる。また、複数の掃払ユニット４のうち方向ｙ他方側端（図中下方端）に位置するものに含まれる複数の掃払体４２は、先端部が方向ｙ一方側（図中上側）に凹んでいる。
【００４９】
なお、各掃払ユニット４に含まれる複数の掃払体４２は、方向ｘ（第１方向）において一定ピッチで一定間隔を隔てて配列されている。また、方向ｙ（第２方向）において隣接する一対の掃払ユニット４においては、複数の掃払体４２の配列ピッチが半ピッチずれている。さらに、方向ｙ（第２方向）において隣接する一対の掃払ユニット４においては、掃払体４２の先端部の凹む方向が互いに反対である。本実施形態の清掃具Ａ２においても、上記した清掃具Ａ１と同様の作用効果を奏することができる。また、本実施形態によれば、清掃時において、複数列をなす掃払体４２のうち進行方向の最前列に位置する掃払体４２については、凹み両端の凸形状部分が進行方向に向くことになる。このような構成は、カーペットＣａ上のゴミを効率よく掃き集めるのに適する。
【００５０】
図１０に示す清掃具Ａ３は、掃払ユニット４における掃払体４２’の構成が上記実施形態の清掃具Ａ１と異なっている。
【００５１】
本実施形態において、清掃具Ａ３は３つの掃払ユニット４を備えており、各掃払ユニット４が取付け部４１および複数の掃払体４２’を備えている。各掃払ユニット４において、複数の掃払体４２’は、長手方向（方向ｘ）に並んでいる。本実施形態において、方向ｘに並ぶ複数の掃払体４２’は、第１掃払体４２１’および第２掃払体４２２’を含む。各掃払体４２’ （４２１’，４２２’）の先端部は、当該掃払体４２’が延びる方向に見て方向ｘと直交する方向ｙに凹んでいる。各掃払体４２’は、概略Ｖ字形状を呈しており、１箇所凹んでいる。
【００５２】
第１掃払体４２１’は、先端部が方向ｙ一方側（図中上側）に凹んでいる。第２掃払体４２２’は、先端部が方向ｙ他方側（図中下側）に凹んでいる。そして、これら第１掃払体４２１’および第２掃払体４２２’は、方向ｘにおいて交互に並んでいる。
【００５３】
なお、各掃払ユニット４に含まれる複数の掃払体４２’（第１掃払体４２１’および第２掃払体４２２’）は、方向ｘ（第１方向）において一定ピッチで一定間隔を隔てて配列されている。また、方向ｙ（第２方向）において隣接する一対の掃払ユニット４においては、複数の掃払体４２’の配列ピッチが半ピッチずれている。本実施形態の清掃具Ａ３においても、上記した清掃具Ａ１と同様の作用効果を奏することができる。
【００５４】
図１１に示す清掃具Ａ４は、掃払ユニット４における掃払体４２”の構成が上記実施形態の清掃具Ａ２と異なっている。
【００５５】
本実施形態において、清掃具Ａ４は４つの掃払ユニット４を備えており、各掃払ユニット４が取付け部４１および複数の掃払体４２”を備えている。各掃払ユニット４において、複数の掃払体４２”は、長手方向（方向ｘ）に並んでいる。各掃払体４２”の先端部は、当該掃払体４２”が延びる方向に見て方向ｘと直交する方向ｙに凹んでいる。各掃払体４２”は、概略Ｕ字形状を呈しており、１箇所凹んでいる。
【００５６】
本実施形態において、複数の掃払ユニット４のうち方向ｙ一方側端（図中上方端）に位置するものに含まれる複数の掃払体４２”は、先端部が方向ｙ他方側（図中下側）に凹んでいる。また、複数の掃払ユニット４のうち方向ｙ他方側端（図中下方端）に位置するものに含まれる複数の掃払体４２”は、先端部が方向ｙ一方側（図中上側）に凹んでいる。
【００５７】
なお、各掃払ユニット４に含まれる複数の掃払体４２”は、方向ｘ（第１方向）において一定ピッチで一定間隔を隔てて配列されている。また、方向ｙ（第２方向）において隣接する一対の掃払ユニット４においては、複数の掃払体４２”の配列ピッチが半ピッチずれている。さらに、方向ｙ（第２方向）において隣接する一対の掃払ユニット４においては、掃払体４２”の先端部の凹む方向が互いに反対である。本実施形態の清掃具Ａ４においても、上記した清掃具Ａ１および清掃具Ａ２と同様の作用効果を奏することができる。
【００５８】
以上、本発明の具体的な実施形態を説明したが、本発明はこれに限定されるものではなく、発明の思想から逸脱しない範囲内で種々な変更が可能である。本発明に係る清掃具の各部の具体的な構成は、種々に設計変更自在である。
【符号の説明】
【００５９】
Ａ１，Ａ２，Ａ３，Ａ４    清掃具
Ｏ１        中心軸線
ｘ          方向（第１方向）
ｙ          方向（掃払体が延びる方向に見て第１方向と直交する方向、第２方向）
ｚ          方向（第１方向と交差する方向、第３方向）
１          柄
２          連結部材
２１        筒状部
２２        連結片
２２ａ      連結孔
３          ヘッド本体
３１        連結部
３１ａ      連結孔
３２        支持部
３２１      縦壁
３２１ａ    貫通孔
３２２      先端縁（第２先端縁）
３３        延出片
３３１      先端縁（第１先端縁）
３４，３５    ピン
４          掃払ユニット
４１        取付け部
４１ａ      取付け孔
４２，４２’，４２”    掃払体
４２１，４２１’    第１掃払体
４２２，４２２’    第２掃払体
５          連結軸
【図１】
2018086043.tif 000003
【図２】
2018086043.tif 000004
【図３】
2018086043.tif 000005
【図４】
2018086043.tif 000006
【図５】
2018086043.tif 000007
【図６】
2018086043.tif 000008
【図７】
2018086043.tif 000009
【図８】
2018086043.tif 000010
【図９】
2018086043.tif 000011
【図１０】
2018086043.tif 000012
【図１１】
2018086043.tif 000013